(57)【要約】【課題】  放電灯調光の実使用状態に向けての調整が容易な放電灯点灯装置を得ること。【解決手段】  放電灯に高周波電圧を出力するインバータ回路を調光信号に基づいて生成した放電灯の調光制御電圧により駆動制御する調光制御回路４は、調光信号のパルス幅が大きくなるに従って電圧値が直線的に低下する直流電圧を生成し、これを放電灯の調光制御電圧として出力する調光制御電圧生成回路５と、所定の温度以下において放電灯の調光範囲の下限を設定する下限制御電圧を生成し、制御電圧が下限制御電圧よりも低下したとき当該下限制御電圧を出力する負の温度特性を有する調光下限温度補償回路６と、所定の温度以上において放電灯の調光範囲の下限を設定する下限リミッタ制御電圧を生成し、制御電圧が下限制御電圧よりも低下したとき当該下限リミッタ制御電圧を出力する調光下限リミッタ回路７とを有する。【選択図】        図１
2006286322.tif 000002
【特許請求の範囲】
【請求項１】
直流電圧を高周波電圧に変換するインバータ回路と、
該インバータ回路から発生する交流電圧を放電灯に供給する負荷回路と、
調光信号に基づいて生成した放電灯の調光制御電圧により前記インバータ回路を駆動制御する調光制御回路とを有する放電灯点灯装置であって、
前記調光制御回路は、
調光信号のパルス幅が大きくなるに従って電圧値が直線的に低下する直流電圧を生成し、これを放電灯の調光制御電圧としてインバータ回路側に出力する調光制御電圧生成手段と、
所定の温度以下において放電灯の調光範囲の下限を設定する下限制御電圧を生成し、前記制御電圧が下限制御電圧よりも低下したとき当該下限制御電圧をインバータ回路側に出力する負の温度特性を有する調光下限温度補償手段と、
所定の温度以上において放電灯の調光範囲の下限を設定する下限リミッタ制御電圧を生成し、前記制御電圧が下限制御電圧よりも低下したとき当該下限リミッタ制御電圧をインバータ回路側に出力する調光下限リミッタ手段と、
を備えたことを特徴とする放電灯点灯装置。
【請求項２】
前記調光下限温度補償手段は、前記下限制御電圧を所定の電圧が印加された複数のインピーダンス素子による分圧に基づいて生成し、該複数のインピーダンス素子のうち、少なくとも１つがサーミスタであることを特徴とする請求項２記載の放電灯点灯装置。
【請求項３】
前記調光下限温度補償手段は、前記下限制御電圧を所定の温度以下で一定の電圧にクリップする上限リミッタ手段を有することを特徴とする請求項１又は２記載の放電灯点灯装置。
【請求項４】
前記調光下限温度補償手段の上限リミッタ手段は少なくとも前記サーミスタに並列接続されたツエナーダイオードであることを特徴とする請求項３記載の放電灯点灯装置。
【発明の詳細な説明】
【技術分野】
【０００１】
本発明は、連続的に調光できる放電灯点灯装置に係り、特に放電灯の調光の実使用状態に向けての調整が容易な放電灯点灯装置に関するものである。
【背景技術】
【０００２】
従来の放電灯点灯装置は、商用電源を直流電圧に変換する直流電源と、該直流電源から発生する直流電圧を高周波電圧に変換するインバータ回路と、該インバータ回路から発生する交流電圧を放電灯に供給する負荷回路とを有する放電灯点灯装置であって、調光信号のパルス幅が大きくなるに従って電圧値が直線的に低下する直流電圧を生成し、これを放電灯の調光の制御電圧としてインバータ回路側に出力する調光制御電圧生成回路と、一部に負の温度特性を有する複数のインピーダンス素子による分圧に基づいて放電灯の調光範囲の下限を設定する下限制御電圧を生成し、前記制御電圧が下限制御電圧よりも低下したとき、当該下限制御電圧をインバータ回路側に出力する調光下限設定回路とを有するものである。
【０００３】
そして、調光制御電圧生成回路は調光信号のパルス幅が大きくなるに従って電圧値が直線的に低下する直流電圧を放電灯の調光の制御電圧としてインバータ回路側に出力し、調光下限設定回路はその制御電圧が設定された下限制御電圧よりも低下したとき該下限制御電圧をインバータ回路側に出力するようにしたので、調光範囲の下限が異なってもその下限値までの調光曲線が同一となり、しかも調光範囲の下限値を調光下限設定回路で行っているので、調光範囲の下限が異なる放電灯点灯装置であっても同一照明システム上に容易に組み合わせることができるものである（例えば、特許文献１参照）。
【特許文献１】特開２００１−２４４０９５号公報（第１頁、第１図）
【発明の開示】
【発明が解決しようとする課題】
【０００４】
従来の放電灯点灯装置では、低温下・低調光時において放電灯のチラツキを防止するため、調光下限設定回路に負の温度特性を持たせて下限制御電圧を上げるようにしているから、調光下限の電力は温度に依存することとなる。
また、全光点灯時に比べて調光下限時では、少ない電力差でも放電灯の明るさの違いを視覚に感じるため、調光下限時の電力は狭い範囲に収めなければならないという要請がある。
ところで、放電灯点灯装置の製品毎に、個々の部品精度のバラツキから製品毎に調光のの明るさにバラツキが生じるため、所定の明るさに調整する必要がある。この時、調光下限時を基準に調光の調整を行うようにしている。
【０００５】
放電灯点灯装置の製品の温度補償素子の実使用状態の温度は、約４５℃であるのに対し、製品の生産工程での温度は室温と同等の２５℃〜３５℃の範囲である。
そして、製品における調光下限時の調光の調整は生産工程で行われるため、実使用状態の温度での調整範囲に収めるように、生産工程で調光の調整を行う場合には、例えば２５℃と３５℃の環境下では実使用状態の約４５℃の場合に比べて負の温度特性が大きく作用するため、実質的に実使用状態の温度での調整範囲に収めようとすると、生産工程での調光下限時の調光の調整は実質的に狭くなり、しかも調光下限時の電力は狭い範囲に調整しなければならないという要請の点からも極めて調整が困難であるという問題点があった。
本発明はかかる問題点を解決するためになされたもので、放電灯の調光の実使用状態に向けての調整が容易な放電灯点灯装置を得ることを目的とする。
【課題を解決するための手段】
【０００６】
本発明に係る放電灯点灯装置は、直流電圧を高周波電圧に変換するインバータ回路と、該インバータ回路から発生する交流電圧を放電灯に供給する負荷回路と、調光信号に基づいて生成した放電灯の調光制御電圧により前記インバータ回路を駆動制御する調光制御回路とを有する放電灯点灯装置であって、前記調光制御回路は、調光信号のパルス幅が大きくなるに従って電圧値が直線的に低下する直流電圧を生成し、これを放電灯の調光制御電圧としてインバータ回路側に出力する調光制御電圧生成手段と、所定の温度以下において放電灯の調光範囲の下限を設定する下限制御電圧を生成し、前記制御電圧が下限制御電圧よりも低下したとき当該下限制御電圧をインバータ回路側に出力する負の温度特性を有する調光下限温度補償手段と、所定の温度以上において放電灯の調光範囲の下限を設定する下限リミッタ制御電圧を生成し、前記制御電圧が下限制御電圧よりも低下したとき当該下限リミッタ制御電圧をインバータ回路側に出力する調光下限リミッタ手段とを備えるように構成したものである。
【発明の効果】
【０００７】
以上説明したとおり、本発明の放電灯点灯装置の調光制御回路は、調光信号に基づいて生成した放電灯の調光制御電圧をインバータ回路側に出力する調光制御電圧生成手段と、所定の温度以下において放電灯の調光範囲の下限を設定した下限制御電圧をインバータ回路側に出力する負の温度特性を有する調光下限温度補償手段とは別に、所定の温度以上において放電灯の調光範囲の下限を設定する下限リミッタ制御電圧を生成し、前記制御電圧が下限制御電圧よりも低下したとき当該下限リミッタ制御電圧をインバータ回路側に出力する調光下限リミッタ手段を新たに設け、その調光下限リミッタ手段は放電灯点灯装置の生産工程における温度と実使用状態の温度を含む所定の温度以上で動作するので、放電灯点灯装置における調光下限時の調光の調整を生産工程で行っても、負の温度特性に依存しないため、生産工程の温度での調整範囲と実使用状態の温度での調整範囲が同じとなることにより、生産工程を考慮した設計が容易になり、従来と比較し、調整範囲が大きくとれ、調整が容易となるという効果がある。
【発明を実施するための最良の形態】
【０００８】
実施の形態１．  
図１は本発明の実施の形態１に係る放電灯点灯装置の構成を示すブロック図、図２は同放電灯点灯装置の調光制御回路の構成を示す回路図、図３の（ａ）は調光下限の入力電圧と温度との関係を示すグラフ、（ｂ）は調光下限の調整範囲と温度の関係を示すグラフである。
図１において、本実施の形態１の放電灯点灯装置は、商用電源Ｅを直流電圧に変換する直流電源１と、直流電源１の直流電圧を高周波電圧に変換するインバータ回路２と、インバータ回路２から発生する交流電圧を放電灯に供給する負荷回路３と、調光信号ＬＳに基づいて直流電圧である放電灯の調光制御電圧を生成してインバータ回路２に出力する調光制御回路４とを備えて構成されている。
【０００９】
調光制御回路４は、調光信号ＬＳのパルス幅が大きくなるに従って電圧値が直線的に低下する直流電圧を生成し、これを放電灯の調光制御電圧として出力する調光制御電圧生成回路５と、所定の温度以下において放電灯の調光範囲の下限を設定する下限制御電圧を生成して出力する負の温度特性を有する調光下限温度補償回路６と、所定の温度以上において放電灯の調光範囲の下限を設定する下限制御電圧を生成して出力する調光下限リミッタ回路７と、調光制御電圧生成回路５の調光制御電圧と、調光下限温度補償回路６の下限制御電圧と、調光下限リミッタ回路７の下限リミッ制御電圧を選択してインバータ回路２に出力する調光制御電圧出力回路８とを有している。
【００１０】
次に、調光制御回路４の回路構成について図２に基づいて詳細に説明する。
調光制御電圧生成回路５は、調光信号ＬＳ（ＰＷＭ信号）のパルス波形の方向を一定にするための４つのダイオードＤ１〜Ｄ４のブリッジ回路１１と、調光信号がハイレベルのときに発光する発光ダイオードＬＥＤ及び発光ダイオードＬＥＤが発光したときオンするフォトトランジスタＰＴからなるフォトカプラ１２とを有している。
そのフォトトランジスタＰＴのコレクタは電流制限抵抗Ｒ３を介して１０Ｖの直流電源ラインＶｃｃに接続されている。その直流電源ラインＶｃｃには直流電圧をクリップするツエナーダイオードＤＺ１が接続され、ツエナーダイオードＤＺ１に平滑コンデンサＣ４が並列接続されている。
【００１１】
さらに、調光制御電圧生成回路５は、フォトトランジスタＰＴに抵抗Ｒ４と共に並列接続され、フォトトランジスタＰＴがオンしたときオフするトランジスタＱ１と、トランジスタＱ１に並列接続され、トランジスタＱ１がオンしたときオンするＰＮＰ型の電界効果トランジスタＱ２及びトランジスタＱ１がオンしたときオフするＮＰＮ型の電界効果トランジスタＱ３と、電界効果トランジスタＱ２のソースと電界効果トランジスタＱ３のドレインとの間に設けられた抵抗Ｒ５、Ｒ６と、抵抗Ｒ５、Ｒ６の接続点とアース側のラインとの間に抵抗Ｒ７を介して接続され、電界効果トランジスタＱ２と電界効果トランジスタＱ３の交互のオン・オフ動作により充放電を繰り返すコンデンサＣ２とで構成されている。
抵抗Ｒ４と電界効果トランジスタＱ２のドレインは直流電源ラインＶｃｃに接続され、フォトトランジスタＰＴのエミッタと、トランジスタＱ１と、電界効果トランジスタＱ３のソースはアース側のラインと接続されている。
【００１２】
この調光制御電圧生成回路５は、調光信号がハイレベルのとき、トランジスタＱ１がオフし、トランジスＱ２がオンし、トランジスタＱ３がオフし、直流電流がトランジスＱ２、抵抗Ｒ５、Ｒ７を介してコンデンサＣ２に流れ、コンデンサＣ２が充電される。
また、調光信号がローレベルのときはトランジスタＱ１がオン、電界効果トランジスタＱ２がオフし、電界効果トランジスタＱ３がオンし、コンデンサＣ２が充電された電圧を放電し、直流電流が抵抗Ｒ７、抵抗Ｒ６、トランジスタＱ３へと流れる。
このコンデンサＣ２の電圧は、電界効果トランジスタＱ２のオン期間（調光信号のパルス幅）が長くなるにつれて電圧値が直線的に低下していく。
なお、電界効果トランジスタＱ２、Ｑ３の交互のスイッチング動作によって、フォトトランジスタＰＴに生成される調光信号のパルス波形の「なまり」が整形される。
【００１３】
調光下限温度補償回路６は、１０Ｖの直流電源ラインＶｃｃとアース側のラインとの間に直列に接続された抵抗Ｒ８、サーミスタＲＴ１及び抵抗Ｒ９で構成されている。
この調光下限温度補償回路６は、所定の温度以下において、放電灯の光束出力の下限を４０％とした場合、その出力を得るのに必要な下限制御電圧を抵抗Ｒ８、サーミスタＲＴ１と抵抗Ｒ９とで発生させるようにしたもので、調光信号のデューティによって発生する制御電圧が下限制御電圧よりも低いときは、その下限制御電圧によってインバータ回路２のスイッチング素子のオン期間が決定される。なお、調光下限温度補償回路６は、低温下において低調光を行った際、放電灯の特性上、光束が低下するが、調光下限温度補償回路６のサーミスタにＲＴ１の温度特性により、発生する下限制御電圧が上がるので、放電灯の光束出力を確保できる。
【００１４】
調光下限リミッタ回路７は、１０Ｖの直流電源ラインＶｃｃとアース側のラインとの間に直列に接続された抵抗Ｒ１０、Ｒ１１及びボリューム抵抗ＶＲ１で構成されている。
調光制御電圧出力回路５は、所定の温度以上において、放電灯の光束出力の下限を４０％とした場合、その出力を得るのに必要な下限リミッタ制御電圧を抵抗Ｒ１０、Ｒ１１とボリューム抵抗ＲＶＲ１とで発生させるようにしたもので、調光信号のデューティによって発生する制御電圧が下限リミッタ制御電圧よりも低いときは、その下限リミッタ制御電圧によってインバータ回路２のスイッチング素子のオン期間が決定される。つまり、この場合では、放電灯の光束出力の下限が４０％と固定される。
【００１５】
調光制御電圧出力回路８は、調光制御電圧生成回路５の調光制御電圧と、調光下限温度補償回路６の下限制御電圧と、調光下限リミッタ回路７の最も高い下限リミッタ制御電圧を選択するオペアンプＯＰ１と、オペアンプＯＰ１により選択された制御電圧をインバータ回路２に出力するオペアンプＯＰ２とで主に構成されている。
オペアンプＯＰ１の一方の基準電圧用のマイナス側入力端子は、調光下限リミッタ回路７の抵抗Ｒ１０とＲ１１との接続点に接続され、他方のプラス側入力端子はコンデンサＣ２と抵抗Ｒ７の接続点に接続され、出力端子はダイオードＤ５を介してマイナス側入力端子に接続されている。
【００１６】
また、オペアンプＯＰ２の一方のマイナス側入力端子は、ダイオードＤ６を介して調光下限温度補償回路６の抵抗Ｒ８とサーミスタＲＴ１との接続点に接続され、出力端子と帰還されている他方のプラス側入力端子は、分圧抵抗Ｒ１２、Ｒ１３を介してアース側のラインと接続されている。その分圧抵抗Ｒ１２とＲ１３の接続点が、抵抗Ｒ１４とコンデンサＣ３のノイズ除去回路１３を介してインバータ回路２に接続されている。
分圧抵抗Ｒ１２とＲ１３の接続点に発生する電圧（制御電圧）によってインバータ回路２のスイッチング素子のオン期間が決定され、つまり、コンデンサＣ２の電圧が高くなればインバータ回路２のスイッチング素子のオン期間が長くなり、放電灯の光束が増大する。逆に、コンデンサＣ２の電圧が低くなれば、そのスイッチング素子のオン期間が短くなり、放電灯の光束が減少する。
【００１７】
次に、本実施の形態１の放電灯点灯装置の調光制御回路の動作を説明する。
まず、電界効果トランジスタＱ２がオンし、電界効果トランジスタＱ３がオフしている場合は、直流電源ラインＶｃｃから直流電流がトランジスタＱ２、抵抗Ｒ５、抵抗Ｒ７及びコンデンサＣ２の経路で流れ、調光信号のデューティに応じてコンデンサＣ２が充電される。
次に、電界効果トランジスタＱ２がオフし、電界効果トランジスタＱ３がオンしている場合は、コンデンサＣ２に充電された充電電圧が、コンデンサＣ２から抵抗Ｒ７、抵抗Ｒ６、電界効果トランジスタＱ３の経路で放電される。
【００１８】
デューティが５％の調光信号が入力されているときは、電界効果トランジスタＱ３のオン期間が短いので、コンデンサＣ２から電界効果トランジスタＱ３側に放電される時間が短く、電界効果トランジスタＱ２のオン期間が長く、抵抗Ｒ７を介してコンデンサＣ２に充電される時間が長くなる。そのため、放電灯の光束出力が１００％となる高い制御電圧が発生する。
この状態において、調光信号のデューティを徐々に上げると、電界効果トランジスタＱ３のオン期間がそれに伴って徐々に長くなり、コンデンサＣ２から電界効果トランジスタＱ３側に放電される時間が徐々に長くなり、電界効果トランジスタＱ２のオン期間が短くなって抵抗Ｒ７を介してコンデンサＣ２に充電される時間が短くなっていき、制御電圧が低下していく。この時、放電灯の光束出力が徐々に低下する。
【００１９】
このように、調光信号のデューティが上がって放電灯の光束出力が低下する場合に、図３の（ａ）に示すように、調光下限温度補償回路６は例えば１５℃という所定の温度以下においては負の温度特性に基づく下限制御電圧が設定される。
また、調光下限リミッタ回路７は例えば１５℃という所定の温度以上においては所定の下限リミッタ制御電圧が設定されている。なお、その下限リミッタ制御電圧はボリューム抵抗ＶＲ１で抵抗値を調整することで可変することができる。
そして、調光制御電圧出力回路８は、調光制御電圧生成回路５の制御電圧が、調光下限温度補償回路６が設定した下限制御電圧よりも低下すると、その下限制御電圧をインバータ回路側に出力する。また、調光制御電圧出力回路８は、調光制御電圧生成回路５の制御電圧が、調光下限リミッタ回路７が設定した下限リミッタ制御電圧よりも低下したときも、その下限リミッタ制御電圧をインバータ回路側に出力するようにしている。
【００２０】
そして、周囲温度が１５℃以上の場合においては、調光制御電圧生成回路５が調光信号のデューティに応じて生成した制御電圧であるコンデンサＣ２の電圧がオペアンプＯＰ１のマイナス側入力端子に印加されている電圧よりも高い場合には、オペアンプＯＰ１の出力端子からダイオードＤ６を介して出力される電圧はプラス側入力端子に入力される電圧と同じ電圧となる。
従って、調光信号のデューティに応じて生成した制御電圧がオペアンプＯＰ２のマイナス側入力端子に入力され、オペアンプＯＰ２で所定の増幅率で増幅された電圧が分圧抵抗Ｒ１２とＲ１３とで分圧された電圧である制御電圧がインバータ回路２に入力されることとなる。
【００２１】
また、調光制御電圧生成回路５が調光信号のデューティに応じて生成した制御電圧がオペアンプＯＰ１のマイナス側入力端子に印加されている電圧よりも低い場合には、オペアンプＯＰ１の出力端子から電圧は出力されないため、調光下限リミッタ回路７の抵抗Ｒ１０、抵抗Ｒ１１及びボリューム抵抗ＶＲ１で分圧された電圧がオペアンプＯＰ２のマイナス側入力端子に入力され、オペアンプＯＰ２で所定の増幅率で増幅された電圧が分圧抵抗Ｒ１２とＲ１３とで分圧された電圧である制御電圧がインバータ回路２に入力されることとなる。
即ち、調光下限リミッタ回路７で設定された下限リミッタ制御電圧がインバータ回路側に出力されることとなる。
【００２２】
このように、調光制御電圧生成回路５が調光信号のデューティに応じて生成した制御電圧が調光下限リミッタ回路７で設定された下限リミッタ制御電圧より低下すると、その下限リミッタ制御電圧によってインバータ回路２のスイッチング素子のオン期間が決定されるので、調光信号のデューティをさらに上げても放電灯の光束出力がその下限リミッタ制御電圧によって保持される。
このように、周囲温度が１５℃以上では、調光下限リミッタ回路７で設定された下限リミッタ制御電圧がインバータ回路２に出力されていたが、周囲温度が１５℃以下で光束が低下する低調光を行った場合は、調光下限設定回路６のサーミスタＲＴ１の温度特性により、サーミスタＲＴ１と抵抗Ｒ９の接続点の電圧である下限制御電圧が上昇する。
【００２３】
そうすると、その上昇した下限制御電圧が調光下限リミッタ回路７の抵抗Ｒ１０と抵抗Ｒ１１の接続点の電圧である下限リミッタ制御電圧より高くなるため、今まで調光制御電圧出力回路８のオペアンプＯＰ１のプラス入力端子に入力された下限リミッタ制御電圧に代わり、その上昇した下限制御電圧がダイオードＤ６を介して調光制御電圧出力回路８のオペアンプＯＰ１のプラス入力端子に入力され、オペアンプＯＰ２で所定の増幅率で増幅された電圧が分圧抵抗Ｒ１２とＲ１３とで分圧された電圧である制御電圧がインバータ回路２に入力されることとなる。
即ち、調光下限温度補償回路６で設定された高い下限制御電圧がインバータ回路２に出力されることとなる。従って、周囲温度が１５℃以下で光束が低下する低調光を行った場合に、放電灯の光束出力が上がるため、放電灯のチラツキが起きにくくなる。
【００２４】
この実施の形態１の放電灯点灯装置の調光制御回路４は、調光制御電圧生成回路５及び負の温度特性を有する調光下限温度補償回路６とは別に、温度特性を有しない調光下限リミッタ回路７を新たに設け、その調光下限リミッタ回路７は製品の生産工程における温度と実使用状態の温度を含む所定の温度以上で動作するので、製品における調光下限時の調光の調整を生産工程で行っても、負の温度特性に依存しないため、図３の（ｂ）に示すように生産工程の温度での調整範囲と実使用状態の温度での調整範囲が同じとなることにより、生産工程を考慮した設計が容易になり、従来と比較し、調整範囲が大きくとれ、調整が容易となる。
【００２５】
実施の形態２．
図４は本発明の実施の形態２に係る放電灯点灯装置の構成を示すブロック図、図５は同放電灯点灯装置の調光制御回路の構成を示す回路図、図６は上限リミッタを有する調光下限の入力電力と温度との関係を示すグラフである。
本発明の実施の形態２において、実施の形態１と同様の構成は同一符号を付して重複した構成の説明を省略する。
この実施の形態２は、実施の形態１の調光下限温度補償回路６と異なり、調光下限温度補償回路１６が調光下限における上限リミッタを有するようにしたものである。
図５に示す如く、調光制御回路４の調光下限温度補償回路１６は抵抗８とサーミスタＲＴ１の接続点とアース側のラインの間にツエナーダイオードＤＺ２を設けたものである。
【００２６】
この実施の形態２では、周囲温度が１５℃以下で光束が低下する低調光を行った場合は、調光下限設定回路６のサーミスタＲＴ１の温度特性により、サーミスタＲＴ１と抵抗Ｒ９の接続点の電圧である下限制御電圧が上昇し、周囲温度が低下するに従い下限制御電圧が次第に高くなっていく。
そこで、周囲温度が所定の温度以下となった場合に、高くなる下限制御電圧をツエナーダイオードＤＺ２によりクリップし、それ以上周囲温度が低下しても一定の上限リミッタとした下限制御電圧をダイオードＤ６を介して調光制御電圧出力回路８のオペアンプＯＰ１のプラス入力端子に入力し、オペアンプＯＰ２の電圧を分圧抵抗Ｒ１２とＲ１３とで分圧した電圧である上限リミッタの下限制御電圧がインバータ回路２に入力されるようにしたものである。
【００２７】
この実施の形態２では、周囲温度が１５℃以下で光束が低下する低調光を行った場合に、周囲温度が所定の温度以下となったときには、それ以上周囲温度が低下しても一定の上限リミッタとした下限制御電圧をインバータ回路２に出力するようにしたので、所定の調光下限・低温下までは放電灯のチラツキを防止するために、負の温度特性を持たせて電力を増加させるが、必要以上に調光下限の電力を上げてしまうと、本来の調光の目的である省電力の効果が低温下に損なわれてしまうので、所定の調光下限・低温下より下の低温となったときには、必要以上に電力が上がることを抑制し、省電力の効果を維持するようにしたものである。
【図面の簡単な説明】
【００２８】
【図１】本発明の実施の形態１に係る放電灯点灯装置の構成を示すブロック図。
【図２】同放電灯点灯装置の調光制御回路の構成を示す回路図。
【図３】（ａ）は調光下限と入力電力と温度との関係を示すグラフ、（ｂ）は調光下限の調整範囲と温度との関係を示すグラフ。
【図４】本発明の実施の形態２に係る放電灯点灯装置の構成を示すブロック図。
【図５】同放電灯点灯装置の調光制御回路の構成を示す回路図。
【図６】上限リミッタを有する調光下限と入力電力と温度との関係を示すグラフ。
【符号の説明】
【００２９】
１  直流電源、２  インバータ回路、３  負荷回路、４調光制御回路、５  調光制御電圧生成回路、６  調光下限温度補償定回路、７  調光下限リミッタ回路、ＬＳ  調光信号。
【図１】
2006286322.tif 000003
【図２】
2006286322.tif 000004
【図３】
2006286322.tif 000005
【図４】
2006286322.tif 000006
【図５】
2006286322.tif 000007
【図６】
2006286322.tif 000008